(57)【要約】【課題】円盤形状の指針を有するアナログ電子時計において、少ない消費電力で指針の位置検出を行えるようにする。【解決手段】円形または扇形の板状の部材からなり表示窓内で回転するとともに当該部材の回転位置によって情報が指し示される円盤指針（６１）を備えたアナログ電子時計である。そして、円盤指針（６１）の回転中心を外れた位置に設けられた透過孔（１６１）と、円盤指針（６１）が所定の回転位置になったときに透過孔（１６１）を通過した外光を受ける光検出部（１４３）とを備え、光検出部（１４３）の検出に基づき円盤指針（６１）の回転位置を判別する。【選択図】図２
2011069620.tif 000002
【特許請求の範囲】
【請求項１】
円形または扇形の板状の部材からなり表示窓内で回転するとともに当該部材の回転位置によって情報が示される円盤指針を備えたアナログ電子時計において、
前記円盤指針の回転中心を外れた位置に設けられた透過孔と、
前記円盤指針が所定の回転位置になったときに外部から前記透過孔を透過した光が照射される位置に設けられた光検出部と、
前記光検出部による光の検出に基づき前記円盤指針が前記所定の回転位置にあるか否かを判別する指針位置判別手段と、
を備えたことを特徴とするアナログ電子時計。
【請求項２】
外光の光量を検出する外光量検出手段を備え、
前記指針位置判別手段は、
前記外光量検出手段により所定光量以上の外光が検出されていない場合に、前記光検出部の光の検出に基づく前記円盤指針の回転位置の判別を行わないことを特徴とする請求項１記載のアナログ電子時計。
【請求項３】
外光を受けて発電を行う発電手段を備え、
前記外光量検出手段は、
前記発電手段の出力に基づいて外光の光量を検出することを特徴とする請求項２記載のアナログ電子時計。
【請求項４】
前記円盤指針が前記所定の回転位置に無いと推測される時点で前記光検出部により光を検出させて当該光検出部の出力を取り込む非検出時光量取込手段と、
この非検出時光量取込手段により取り込まれた前記光検出部の出力に基づき、前記円盤指針の回転位置を判別するための前記光検出部の出力閾値を設定する閾値設定手段と、
を備え、
前記指針位置判別手段は、前記光検出部の出力と前記出力閾値とを比較して前記円盤指針が前記所定の回転位置にあるか否かを判別する
ことを特徴とする請求項１記載のアナログ電子時計。
【請求項５】
前記円盤指針が少なくとも一部が重なった状態で複数設けられるとともに、前記複数の円盤指針がそれぞれ所定の回転位置になった場合に、各円盤指針の前記透過孔が一箇所で重なるように構成され、
前記指針位置判別手段は、
前記光検出部による光の検出に基づき前記複数の円盤指針が前記透過孔が一箇所で重なる回転位置にあるか否かを判別する
ことを特徴とする請求項１記載のアナログ電子時計。
【請求項６】
前記円盤指針の外光を受ける面に前記透過孔に近くなるに従って沈み込んでいく傾斜が設けられていることを特徴とする請求項１記載のアナログ電子時計。
【請求項７】
前記円盤指針の周囲に、当該円盤指針から離れるに従ってせり上がる傾斜を有する壁面が設けられていることを特徴とする請求項１記載のアナログ電子時計。
【請求項８】
前記円盤指針が前記所定の回転位置にあるときに前記透過孔の部位から前記光検出部まで光を導く筒状の導光部を備えていることを特徴とする請求項１記載のアナログ電子時計。
【発明の詳細な説明】
【技術分野】
【０００１】
この発明は、円板状の指針を有するアナログ電子時計に関する。
【背景技術】
【０００２】
アナログ電子時計においては、時計内部に保持した指針の位置情報と実際の指針の位置とがずれてしまうことがある。そのため、従来のアナログ電子時計では、指針を回転させる歯車の一部に透過孔を設けるとともに、発光素子と受光素子とを有するフォトインタラプタでこの透過孔を検出することで、指針の位置を検出する針位置検出機構を備えるものがあった。
【０００３】
また、特許文献１には、指針の裏面に反射板を設け、文字板の下方に配置されたフォトリフレクタでこの反射板を検出することで、指針の位置を検出する針位置検出方法について開示されている。
【先行技術文献】
【特許文献】
【０００４】
【特許文献１】特開２００６−２７５８０３号公報
【発明の概要】
【発明が解決しようとする課題】
【０００５】
しかしながら、従来のアナログ時計における指針の位置を検出する構成では、指針を検出するためにフォトインタラプタやフォトリフレクタの発光素子を駆動する必要があるため、消費電力が大きくなるという課題があった。
【０００６】
この発明の目的は、円盤形状の指針を有するアナログ電子時計において、少ない消費電力で指針の位置検出を行えるようにすることにある。
【課題を解決するための手段】
【０００７】
上記目的を達成するため、請求項１記載の発明は、
円形または扇形の板状の部材からなり表示窓内で回転するとともに当該部材の回転位置によって情報が示される円盤指針を備えたアナログ電子時計において、
前記円盤指針の回転中心を外れた位置に設けられた透過孔と、
前記円盤指針が所定の回転位置になったときに外部から前記透過孔を透過した光が照射される位置に設けられた光検出部と、
前記光検出部による光の検出に基づき前記円盤指針が前記所定の回転位置にあるか否かを判別する指針位置判別手段と、
を備えたことを特徴としている。
【０００８】
請求項２記載の発明は、請求項１記載のアナログ電子時計において、
外光の光量を検出する外光量検出手段を備え、
前記指針位置判別手段は、
前記外光量検出手段により所定光量以上の外光が検出されていない場合に、前記光検出部の光の検出に基づく前記円盤指針の回転位置の判別を行わないことを特徴としている。
【０００９】
請求項３記載の発明は、請求項２記載のアナログ電子時計において、
外光を受けて発電を行う発電手段を備え、
前記外光量検出手段は、
前記発電手段の出力に基づいて外光の光量を検出することを特徴としている。
【００１０】
請求項４記載の発明は、請求項１記載のアナログ電子時計において、
前記円盤指針が前記所定の回転位置に無いと推測される時点で前記光検出部により光を検出させて当該光検出部の出力を取り込む非検出時光量取込手段と、
この非検出時光量取込手段により取り込まれた前記光検出部の出力に基づき、前記円盤指針の回転位置を判別するための前記光検出部の出力閾値を設定する閾値設定手段と、
を備え、
前記指針位置判別手段は、前記光検出部の出力と前記出力閾値とを比較して前記円盤指針が前記所定の回転位置にあるか否かを判別する
ことを特徴としている。
【００１１】
請求項５記載の発明は、請求項１記載のアナログ電子時計において、
前記円盤指針が少なくとも一部が重なった状態で複数設けられるとともに、前記複数の円盤指針がそれぞれ所定の回転位置になった場合に、各円盤指針の前記透過孔が一箇所で重なるように構成され、
前記指針位置判別手段は、
前記光検出部による光の検出に基づき前記複数の円盤指針が前記透過孔が一箇所で重なる回転位置にあるか否かを判別する
ことを特徴としている。
【００１２】
請求項６記載の発明は、請求項１記載のアナログ電子時計において、
前記円盤指針の外光を受ける面に、前記透過孔に近くなるに従って沈み込んでいく傾斜が設けられていることを特徴としている。
【００１３】
請求項７記載の発明は、請求項１記載のアナログ電子時計において、
前記円盤指針の周囲に、当該円盤指針から離れるに従ってせり上がる傾斜を有する壁面が設けられていることを特徴としている。
【００１４】
請求項８記載の発明は、請求項１記載のアナログ電子時計において、
前記円盤指針が前記所定の回転位置にあるときに前記透過孔の部位から前記光検出部まで光を導く筒状の導光部を備えていることを特徴としている。
【発明の効果】
【００１５】
本発明に従うと、外光を利用して円盤指針の回転位置の検出を行うので、円盤指針の位置検出にかかる消費電力を小さくすることができるという効果がある。
【図面の簡単な説明】
【００１６】
【図１】本発明の第１実施形態のアナログ電子時計の表示窓内の構成を示す平面図である。
【図２】図１の秒ディスク針の部分を示す断面図である。
【図３】図１のアナログ電子時計の内部構成を示すブロック図である。
【図４】図１のＣＰＵにより実行されるディスク針位置検出処理の第１例の制御手順を示すフローチャートである。
【図５】図１のＣＰＵにより実行される外光検出閾値設定処理の制御処理を示すフローチャートである。
【図６】図１のＣＰＵにより実行されるディスク針位置検出処理の第２例の制御手順を示すフローチャートである。
【図７】第２実施形態のアナログ電子時計の表示窓内の構成を示す平面図である。
【図８】図７の時ディスク針と分ディスク針の部分を示す断面図である。
【図９】透過孔を有したディスク針の第１変形例を示す断面図である。
【図１０】ディスク針の周辺部における第２変形例を示す断面図である。
【図１１】ディスク針の周辺部における第３変形例を示す断面図である。
【発明を実施するための形態】
【００１７】
以下、本発明の実施の形態を図面に基づいて説明する。
【００１８】
［第１実施形態］
図１は、本発明の第１実施形態のアナログ電子時計の表示窓内の構成を示す平面図、図２は、図１の秒ディスク針６１の部分を示す断面図である。
【００１９】
この実施形態のアナログ電子時計は、風防ガラスに覆われた表示窓内に文字板３１とその上部を覆う発電手段としての太陽電池（ソーラパネル）３２とが設けられ、さらに、この文字板３１上で、一方に長い一般的な形状をした分針６２と時針６３とが回転可能に設けられている。また、文字板３１の６時位置には、円盤指針として円形板状の秒ディスク針６１が回転可能に設けられている。
【００２０】
秒ディスク針６１は、図１および図２に示すように、円形で薄い板状の部材からなり、上面の縁部分に秒の値を示す数字と目盛とが記されている。秒ディスク針６１は、回転軸１５１を介して歯車１４１に結合されており、歯車１４１が回転駆動されることで、秒ディスク針６１が文字板３１上で回転する。そして、文字板３１上のマーク３５によって指し示される数字或いは目盛が移動して、それにより時刻の秒桁の値が表示されるようになっている。
【００２１】
秒ディスク針６１には、回転中心と異なる位置に光を透過する透過孔１６１が設けられている。この透過孔１６１は、空洞であっても良いし、光を透過する透明な部材により構成されていても良い。また、透過孔１６１の上部を凸レンズ形状にして光を集光して内部に導くようにしても良い。
【００２２】
秒ディスク針６１の下方には、透過孔１６１の検出位置に対向させて光検出部としての受光素子１４３が設けられている。また、文字板３１の秒ディスク針６１の裏面を支える部分には、透過孔１６１の検出位置が露出されように開口１３１が設けられている。透過孔１６１の検出位置とは、秒ディスク針６１が所定の回転位置（例えばマーク３５の位置に０秒点が来る回転位置）になったときに透過孔１６１が来る位置のことである。従って、文字板３１に外光が入射している状態で、秒ディスク針６１が所定の回転位置にくれば、外光が透過孔１６１を通過して受光素子１４３で検出される一方、秒ディスク針６１が所定の回転位置からずれた回転位置にあるときには外光が透過せずに、外光が受光素子１４３で殆ど検出されないようになっている。
【００２３】
図３には、第１実施形態のアナログ電子時計の内部構成を表わしたブロック図を示す。
【００２４】
上記のアナログ電子時計は、次のような構成を備える。すなわち、時計全体の制御を行うＣＰＵ（中央演算処理装置）４５と、ＣＰＵ４５に作業用メモリ空間を提供するＲＡＭ（Random Access Memory）４７と、ＣＰＵ４５が実行する各種プログラムや設定データを格納するＲＯＭ（Read Only Memory）４６と、各部に動作電圧を供給する二次電池５４と、外光を受けて発電を行って二次電池５４へ発電した電力を出力する上述した太陽電池３２と、電池電圧を測定するために電圧値をデジタル変換するＡＤＣ（アナログデジタル変換器）５５と、所定周波数の発振信号を供給する発振回路４８と、この発振信号を分周して所定周期（例えば１Ｈｚ）の信号を出力する分周回路４９と、分周回路４９の信号をカウントして時刻を計数する計時回路５０と、ステッピングモータを有し上述した歯車１４１を介して秒ディスク針６１を１ステップずつ回転させる秒針駆動部４１と、ステッピングモータを有し分針６２および時針６３を１ステップずつ回転させる時分針駆動部４２と、上述の受光素子１４３とこの受光素子１４３の出力をデジタル値に変換するＡＤコンバータとを含むディスク針位置検出部４３と、歯車に設けた透過孔を検出することで分針６２および時針６３の位置を検出する針位置検出部４４と、アンテナＡＮ５１を介して標準電波を受信して時刻情報を取得する検波回路５２と、外部から操作入力を受け付ける操作部Ｂ等である。
【００２５】
上記の太陽電池３２とＡＤＣ５５は、発電と電池電圧を測定する機能のほか、アナログ電子時計の表示窓に入射する外光の光量を測定する外光量検出手段としても機能するものである。外光の光量を測定するには、例えば、太陽電池３２から二次電池５４側へ流れる電流を一時的に停止させて、太陽電池３２の出力電圧をＡＤＣ５５によりサンプリングすることで、外光の光量を正確に検出することができる。
【００２６】
受光素子１４３は、例えばフォトダイオードなどから構成される。ディスク針位置検出部４３は、ＣＰＵ４５から検出開始の指令を受けると、受光素子１４３に駆動電圧を供給し、受光素子１４３の動作が安定した時点で受光素子１４３の出力をＡＤコンバータによりデジタル変換してＣＰＵ４５に供給するようになっている。
【００２７】
針位置検出部４４は、分針６２と時針６３とを回転させる歯車を挟んで対向配置されたＬＥＤ（発光ダイオード）１４４と受光素子１４５とを備え、ＬＥＤ１４４から出力された光が歯車に設けられた透過孔を通って受光素子１４５に届いたか否かを検出することで、分針６２と時針６３の位置を検出する。
【００２８】
ＲＯＭ４６には、指針を運針して時刻を表示する時計処理のプログラム、時針６３と分針６２の位置検出および位置修正を行う時分針位置検出処理のプログラム、秒ディスク針６１の回転位置の検出および修正を行うディスク針位置検出処理のプログラムなどが格納されている。このうちディスク針位置検出処理のプログラムを実行するＣＰＵ４５により指針位置判別手段が構成される。
【００２９】
次に、秒ディスク針６１の回転位置の検出と修正とを行うディスク針位置検出処理についてフローチャートを参照しながら説明する。
【００３０】
図４には、このディスク針位置検出処理の第１例のフローチャートを示す。
【００３１】
このディスク針位置検出処理は、分周回路４９から１秒信号の入力があるごとに、時計処理など他の処理に連続して実行される処理である。ディスク針位置検出処理が開始されると、先ず、ＣＰＵ４５は、秒ディスク針６１の回転位置を検出する時刻（例えば毎時毎分００秒）であるかを、計時回路５０の計時データから判別する（ステップＳ１）。そして、この検出時刻でなければ“ＮＯ”の方へ分岐して、そのままこのディスク針位置検出処理を終了する。
【００３２】
一方、検出時刻であれば、ＣＰＵ４５は、太陽電池３２による発電電圧をＡＤＣ５５によりサンプリングして外光の光量レベルを求める（ステップＳ２）。続いて、ＣＰＵ４５は、求められた外光の光量レベルが透過孔１６１の検出を行うのに十分なレベルであるか、予め設定されている制限値と比較することで判別する（ステップＳ３）。そして、外光の光量レベルが十分ではないと判別されたら、秒ディスク針６１の回転位置の検出を中止して、そのままディスク針位置検出処理を終了する。一方、外光の光量レベルが十分であると判別されたら、順次、受光素子１４３に駆動電圧を送って受光素子１４３を作動させ（ステップＳ４）、受光素子１４３の受光量のデータを取得し（ステップＳ５）、受光素子１４３の駆動電圧を停止して受光素子１４３を非作動状態に戻す（ステップＳ６）。
【００３３】
続いて、ＣＰＵ４５は、ステップＳ５で取得した受光量データから予め設定されている閾値と比較することで、秒ディスク針６１の透過孔１６１が検出位置にあって外光が入射されたのか否かを判別する（ステップＳ７）。そして、透過孔１６１が検出位置にあると判別されたら、秒ディスク針６１が正常な回転位置にあると判断できるので、そのままディスク針位置検出処理を終了する。
【００３４】
一方、透過孔１６１が検出位置にないと判別されたら、秒ディスク針６１が正常な回転位置にないと判断できるので、先ず、秒ディスク針６１の回転位置を補正する処理を行う（ステップＳ８）。この補正処理は、秒ディスク針６１を早送りにより１ステップずつ回転させ、この１ステップの回転ごとに透過孔１６１の検出を行って、秒ディスク針６１を所定の回転位置（例えばマーク３５に０秒が来る位置）まで移動させる処理である。補正処理を行ったら、次に、この補正処理中に数秒の時間が進んでいるので、秒ディスク針６１を現在の秒の値まで早送りにより回転させて（ステップＳ９）、このディスク針位置検出処理を終了する。
【００３５】
このディスク針位置検出処理によれば、先ず、文字板３１上に入射される外光量が一定レベル以上あることを確認した上で、透過孔１６１を通過した外光を受光素子１４３で検出するようにしていることで、秒ディスク針６１が所定の回転角度にあるか否かの判別を正確に行うことが可能になっている。
【００３６】
上述のディスク針位置検出処理は、その一部を変形して、次のように行うことも可能である。図５には、ディスク針位置検出処理の第２例に必要な外光検出閾値設定処理のフローチャートを、図６には、ディスク針位置検出処理の第２例のフローチャートを示す。
【００３７】
第２例のディスク針位置検出処理は、秒ディスク針６１が所定の回転角度にあるか否かを判別する際に使用される受光素子１４３の受光量の閾値を、一定の値とせずに、その都度調整される可変的な閾値としたものである。
【００３８】
そのため、この第２例のディスク針位置検出処理が採用される場合には、図６のディスク針位置検出処理とともに、図５の外光検出閾値設定処理も実行されるようになっている。この外光検出閾値設定処理は、分周回路４９から１秒信号が入力されるごとにＣＰＵ４５によって実行される。
【００３９】
外光検出閾値設定処理が開始されると、先ず、ＣＰＵ４５は、現在時刻が秒ディスク針６１の位置検出時刻（毎時毎分００秒）の１秒前であるか否かを確認する。そして、１秒前でなければ、閾値設定を行わずにそのままこの外光検出閾値設定処理を終了するが、１秒前であれば次に移行する。
【００４０】
次に移行すると、順次、ＣＰＵ４５は、太陽電池３２の出力を一時的に二次電池５４から切り離すことで外部の明暗判定用の設定とし（ステップＳ１２）、太陽電池３２の発電電圧をＡＤＣ５５によりサンプリングしてこの測定データ（ＢＬＤ値）を取得し（ステップＳ１３：非検出時光量取込手段）、その測定データの値と予め設定された境界値と比較する（ステップＳ１４）。そして、測定データの値が境界値未満であれば、外光量が秒ディスク針６１の位置検出に十分なレベルに達していないと判断して、そのままこの外光検出閾値設定処理を終了する。
【００４１】
一方、測定データの値が境界値以上であれば、さらに、ＣＰＵ４５は、受光素子１４３を作動状態にして（ステップＳ１５）、受光素子１４３の受光信号をサンプリングして取り込み（ステップＳ１６）、受光素子１４３を再び非作動状態にする（ステップＳ１７）。
【００４２】
次いで、ＣＰＵ４５は、ステップＳ１６で取り込んだ受光信号のデータに基づいて、透過孔１６１の検出基準となる閾値レベルを計算し、これをＲＡＭ４７の所定領域に登録する（ステップＳ１８：閾値設定手段）。閾値レベルの計算は、例えば、ステップＳ１６で取り込まれた受光信号のレベルに各種のバラツキ要因によるレベル変動分を加算することで行われる。そして、この外光検出閾値設定処理を終了する。
【００４３】
続いて、ディスク針位置検出処理が開始されると、図６に示すように、先ず、外光検出閾値設定処理による閾値の設定がなされているか否かを判別し（ステップＳ２０）、閾値の設定がなされていれば、秒ディスク針６１の回転位置の検出時刻であるか判別する（ステップＳ２１）。そして、閾値の設定がなされていないか、或いは、秒ディスク針６１の回転位置の検出時刻でなければ、そのままこのディスク針位置検出処理を終了する。
【００４４】
一方、閾値が設定済みで、現在時刻が秒ディスク針６１の回転位置の検出時刻であれば、次に進んで、先ず、外光量が十分なレベルか否か確認し（ステップＳ２２〜Ｓ２４）、十分なレベルであれば、受光素子１４３により透過孔１６１を介した外光量の検出を行わせる（ステップＳ２５〜Ｓ２７）。これらステップＳ２２〜Ｓ２７の処理は、図５のステップＳ１２〜Ｓ１７の処理と同一である。
【００４５】
受光素子１４３により透過孔１６１を介した外光量の検出が行われて、この光量の測定データが取得されたら、次に、ＣＰＵ４５は、この測定データとＲＡＭ４７に設定されている閾値とを比較することで透過孔１６１が検出位置にあるか否かを判別する。そして、透過孔１６１が検出位置にあると判別されたら、秒ディスク針６１が正常な回転位置にあると判断できるので、そのままこのディスク針位置検出処理を終了する。
【００４６】
一方、透過孔１６１が検出位置にないと判別されたら、秒ディスク針６１が正常な回転位置にないと判断できるので、先ず、秒ディスク針６１の回転位置を補正する処理を行い（ステップＳ２９）、次に、この補正処理中に時間が進んでいるので、秒ディスク針６１を現在の秒の値のところまで早送りにより回転させて（ステップＳ３０）、このディスク針位置検出処理を終了する。
【００４７】
このようなディスク針位置検出処理によれば、透過孔１６１が検出位置にあるか否かを判別するための受光量の閾値が適宜調整された値になるので、例えば、時計内部に漏れ光が進入するような場合に、透過孔１６１が検出位置にないのに強い外光の漏れ光により受光素子１４３の受光量が比較的大きくなって、透過孔１６１が検出位置にあると誤判別してしまうといった事態を防ぐことができる。また、外光量が少ないときでも、閾値が小さく設定されることで、透過孔１６１が検出位置にあるか高精度に検出することができる。
【００４８】
［第２実施形態］
図７は、第２実施形態のアナログ電子時計の表示窓内の構成を示す平面図、図８は、時ディスク針と分ディスク針の部分を示す断面図である。
【００４９】
この第２実施形態のアナログ電子時計は、時刻の分桁と時桁の表示を行うのに円盤指針としての分ディスク針６２ｂと時ディスク針６３ｂとを用いたものである。図７中、２６２ｂは分針を表わす図柄、２６３ｂは時針を表わす図柄であり、それぞれ分ディスク針６２ｂと時ディスク針６３ｂの上面に記されている。
【００５０】
図８に示すように、分ディスク針６２ｂと時ディスク針６３ｂとは、円形で薄い板状の部材からなり、時ディスク針６３ｂが分ディスク針６２ｂの上部に重なった状態で配置されている。そして、回転軸１５１ａ，１５１ｂを介して各々に結合された歯車１４２ａ，１４２ｂが回転されることで回転駆動するようになっている。分ディスク針６２ｂと時ディスク針６３ｂには、回転中心を外れた位置に透過孔１６２ｂ，１６３ｂがそれぞれ設けられている。分ディスク針６２ｂの透過孔１６２ｂと、時ディスク針６３ｂの透過孔１６３ｂとは、回転中心から同一半径の位置に設けられており、分ディスク針６２ｂと時ディスク針６３ｂとがそれぞれ所定の回転位置（例えば００時００分の回転位置）に来たときに、２つの透過孔１６２ｂ，１６３ｂが所定の検出位置で重なって受光素子１４３に向けて外光を透過させることが可能になっている。
【００５１】
このような構成によれば、文字板３１上に外光が照射されている状態で、分ディスク針６２ｂと時ディスク針６３ｂとが所定の回転位置に来たときに、外光が透過孔１６２ｂ，１６３ｂを透過して受光素子１４３に検出される一方、分ディスク針６２ｂと時ディスク針６３ｂとが所定の回転位置からずれていれば、受光素子１４３に外光が殆ど入射せずに、これらの状態を判別することが可能になっている。この分ディスク針６２ｂと時ディスク針６３ｂの位置検出は、第１実施形態のディスク針位置検出処理と同様の制御によって実現することができる。
【００５２】
［変形例］
図９〜図１１には、透過孔を有するディスク針およびその周辺部の変形例を示す。
【００５３】
外光の光量が少ない場合でもより多くの光が透過孔を介して受光素子１４３へ入射するように、ディスク針やその周辺部を次のような構成にすることもできる。
【００５４】
図９の変形例は、ディスク針６１ｃの上面に、透過孔１６１に近づくに従って沈み込んでいく傾斜を設けたものである。このような構成により、ディスク針６１ｃの上面で乱反射した光の一部が透過孔１６１へ導かれることになって、透過孔１６１に入射する光を少しでも多くすることができる。
【００５５】
図１０の変形例は、ディスク針６１ｄの周囲、例えば文字板３１ｄにおけるディスク針６１ｄの配置箇所の周囲に、ディスク針６１ｄから離れるに従って迫り上がる壁面３４を設けたものである。このような構成により、文字板３１ｄの壁面３４で乱反射した光の一部が透過孔１６１へ導かれることになって、透過孔１６１に入射する光を少しでも多くすることができる。
【００５６】
図１１の変形例は、ディスク針６１ｅの下方に、透過孔１６１の検出位置から受光素子１４３の受光面まで光を導く筒状の導光部材６４を設けたものである。このような構成により、ディスク針６１ｅから離れた位置に受光素子１４３を設ける場合でも、透過孔１６１を透過した光が途中で散乱させずに受光素子１４３まで導くことができる。導光部材６４の導光部は中空円筒の構成としても良いし、透明樹脂やグラスファイバーなどにより構成しても良い。
【００５７】
図９〜図１０の変形例は、各々の構成を単独に用いるだけでなく、各々の構成を組み合わせて用いることも可能である。
【００５８】
以上のように、上記第１実施形態および第２実施形態のアナログ電子時計によれば、ディスク針６１，６２ｂ，６３ｂに透過孔１６１，１６２ｂ，１６３ｂを設けて、これを透過した外光を受光素子１４３が検出することで透過孔１６１，１６２ｂ，１６３ｂが検出位置にあることを検出するので、ディスク針６１，６２ｂ，６３ｂの回転位置を検出するために発光手段が不要となる。従って、ディスク針６１，６２ｂ，６３ｂの回転位置を検出する処理にかかる消費電力の低減を図ることができる。
【００５９】
また、発光手段が不要な分、時計本体に搭載される回路の体積を減らすことができ、それにより時計本体の厚みを減らすことができる。
【００６０】
また、上記第１実施形態および第２実施形態のアナログ電子時計によれば、ディスク針６１，６２ｂ，６３ｂの回転位置を検出する前に、十分なレベルの外光量があるか確認して、十分なレベルの外光量がある場合にのみ回転位置の検出を行うようになっているので、外光量が少ないことによる回転位置の誤判定が回避されるようになっている。
【００６１】
また、外光量のレベルを太陽電池３２の発電電圧に基づき検出しているので、外光量を検出する構成を別途付加する場合と比較して、回路部品の点数が削減されて製造コストの削減が図れる。
【００６２】
また、上記第１実施形態および第２実施形態のアナログ電子時計の第２例のディスク針位置検出処理によれば、透過孔１６１，１６２ｂ，１６３ｂが検出位置に無いときの受光素子１４３の出力を取り込んで、この出力値に基づき透過孔１６１，１６２ｂ，１６３ｂが検出位置にあると判別する受光量の閾値を設定しているので、外光量が多いときと少ないときとで閾値が適宜な値に調整されて、それにより精度の高い位置検出が実現される。
【００６３】
また、第２実施形態のアナログ電子時計によれば、２つのディスク針１６２ｂ，１６３ｂの透過孔１６２ｂ，１６３ｂが所定の回転位置で互いに重なって外光を内部に透過させるようになっているので、２つのディスク針１６２ｂ，１６３ｂの回転位置を同時に検出することが可能になっている。
【００６４】
なお、本発明は、上記実施の形態に限られるものではなく、様々な変更が可能である。例えば、上記の実施形態では円盤指針として円形のディスク針を例示したが、例えば、扇形形状で所定の角度範囲でのみ回転するディスク針を適用することもできる。また、ディスク針として、現在時刻の各桁の値を表示するものを例示したが、例えば、時計の機能モードの選択状況を表示したり、日付を表示したりするディスク針を同様に適用することもできる。
【００６５】
また、外光レベルを検出する構成として太陽電池を流用する構成を示したが、専用の検出手段を設けても良いし、その他、円盤指針に設けられる透過孔の数や配置、外光を検出する光検出部の数や配置、ディスク針位置検出処理の実行タイミングや詳細な手順など、実施形態で示した細部は発明の趣旨を逸脱しない範囲で適宜変更可能である。
【符号の説明】
【００６６】
３１，３１ｄ  文字板
３２      太陽電池
４３      ディスク針位置検出部
５４      二次電池
５５      ＡＤＣ
６１      秒ディスク針
６２ｂ    分ディスク針
６３ｂ    時ディスク針
６１ｃ，６１ｄ，６１ｅ  ディスク針
６４      導光部材
１６１，１６２ｂ，１６３ｂ      透過孔
１４３    受光素子
【図１】
2011069620.tif 000003
【図２】
2011069620.tif 000004
【図３】
2011069620.tif 000005
【図４】
2011069620.tif 000006
【図５】
2011069620.tif 000007
【図６】
2011069620.tif 000008
【図７】
2011069620.tif 000009
【図８】
2011069620.tif 000010
【図９】
2011069620.tif 000011
【図１０】
2011069620.tif 000012
【図１１】
2011069620.tif 000013